(57)【特許請求の範囲】
【請求項１】
第１の筐体および第２の筐体と、前記第１の筐体および前記第２の筐体が互いに回動可能に連結するヒンジ部により回動可能で折り畳むことが可能であり、前記ヒンジ部は、前記第１の筐体に備えられた第１の結合部と、前記第２の筐体に備えられた第２の結合部と、前記第１の結合部および前記第２の結合部を連結する連結ピンとからなる携帯無線装置において、
前記第１の結合部と前記第２の結合部とが異なる強度を有しており、前記第１の結合部と前記第２の結合部のうち強度の低い結合部の前記連結ピンに接する接触部分に、金属で形成されている補強部材がインサート成型によって設けられていることを特徴とする折り畳み式携帯無線装置。
【発明の詳細な説明】
【０００１】
【発明の属する技術分野】
本発明は、折り畳み式携帯無線装置に関し、特に折り畳み式携帯無線装置のヒンジ部の強度を向上する技術に関する。
【０００２】
【従来の技術】
近年、小型軽量化や携帯性の向上を図るための多種多様な携帯無線装置が開発されてきた。その中でも、携帯無線装置の筐体を上部筐体および下部筐体に分割し、上下筐体のそれぞれに設けられた結合部およびそれらを連結する連結ピンによって構成されたヒンジ部によって上下筐体を連結し、折り畳み可能な構成にした折り畳み式携帯無線装置がある。この折り畳み式携帯無線装置は、送受信時の操作性を確保しつつ、ポケットや鞄への収納を容易にできる優れた形状となっている。
【０００３】
【発明が解決しようとする課題】
上記従来の折り畳み式携帯無線装置においては、上部筐体と下部筐体とをヒンジ部を中心に回動して展開したり、折り畳んだりするために、ヒンジ部に所定の強度が必要とされていた。そこで、上下筐体を金属で成形してヒンジ部を構成する結合部も金属でそれぞれの筐体に一体成形していた。しかしながら、上下筐体および結合部を金属で一体成形するのは、成形作業の自由度が低く、生産性が悪く、上下筐体の外観の自由度も制限されていた。
上下筐体の生産性を向上し、外観の自由度を向上するために、筐体を樹脂で成形して、ヒンジ部を構成する結合部も樹脂で筐体に一体成形することが考えられるが、このような結合部で構成されたヒンジ部では所定の強度が確保できなかった。
本発明は、前記課題に鑑みてなされたものであって、その目的は、筐体の成形作業の煩雑化を招くことなく、ヒンジ部に所定の強度を確保することができる折り畳み式携帯無線装置を提供することにある。
【０００４】
【課題を解決するための手段】
本発明の前記目的は、第１の筐体および第２の筐体と、前記第１の筐体および前記第２の筐体が互いに回動可能に連結するヒンジ部により回動可能で折り畳むことが可能であり、前記ヒンジ部は、前記第１の筐体および前記第２の筐体にそれぞれ備えられた結合部と、それら結合部を連結する連結ピンとからなる携帯無線装置において、前記結合部の前記連結ピンに接する接触部分のうち少なくともいずれかの特定の接触部分が、前記特定の接触部分以外の接触部分より高強度である折り畳み式携帯無線装置によって達成することができる。
【０００５】
また、本発明の前記目的は、第１の筐体および第２の筐体と、前記第１の筐体および前記第２の筐体が互いに回動可能に連結するヒンジ部により回動可能で折り畳むことが可能であり、前記ヒンジ部は、前記第１の筐体および前記第２の筐体にそれぞれ備えられた結合部と、それら結合部を連結する連結ピンとからなる携帯無線装置において、前記結合部の前記連結ピンに接する接触部分のうち少なくともいずれかの特定の接触部分が、前記特定の接触部分を含む結合部が備えられた筐体より高強度である折り畳み式携帯無線装置によって達成することができる。
【０００６】
本明細書において「強度」とは、特に構成部材の変形、摩耗等に対する強さ、硬さ等のことをいう。
このような折り畳み式携帯無線装置においては、ヒンジ部に所定の強度を確保することができる。すなわち、第１の筐体および第２の筐体をヒンジ部を中心に回動して、頻繁に展開したり折り畳んだりしても、結合部の連結ピンに対する接触部分が高強度にされているためにヒンジ部は損傷することがなく、第１の筐体および第２の筐体が安定して連結されている。
【０００７】
また、本発明の前記目的は、第１の筐体および第２の筐体と、前記第１の筐体および前記第２の筐体が互いに回動可能に連結するヒンジ部により回動可能で折り畳むことが可能であり、前記ヒンジ部は、前記第１の筐体に備えられた第１の結合部と、前記第２の筐体に備えられた第２の結合部と、前記第１の結合部および前記第２の結合部を連結する連結ピンとからなる携帯無線装置において、前記第１の結合部と前記第２の結合部とが互いに異なる強度を有しており、前記第１の結合部と前記第２の結合部のうち強度の低い結合部の前記連結ピンに接する特定の接触部分が、強度の高い結合部の接触部分より高強度である折り畳み式携帯無線装置によって達成することができる。
【０００８】
また、本発明の前記目的は、第１の筐体および第２の筐体と、前記第１の筐体および前記第２の筐体が互いに回動可能に連結するヒンジ部により回動可能で折り畳むことが可能であり、前記ヒンジ部は、前記第１の筐体に備えられた第１の結合部と、前記第２の筐体に備えられた第２の結合部と、前記第１の結合部および前記第２の結合部を連結する連結ピンとからなる携帯無線装置において、前記第１の結合部と前記第２の結合部とが互いに異なる強度を有しており、前記第１の結合部と前記第２の結合部のうち強度の低い結合部の前記連結ピンに接する特定の接触部分が、特定の接触部分を含む結合部が備えられた筐体より高強度である折り畳み式携帯無線装置によって達成することができる。
【０００９】
このような折り畳み式携帯無線装置においては、筐体の成形作業の煩雑化を抑制しつつ筐体の強度を向上する等の目的のために、第１の筐体と第２の筐体とを異なる材質で形成しても、強度の低い結合部に強度の高い結合部と同程度の強度を付与することができるので、ヒンジ部に所定の強度を確保することができる。すなわち、ヒンジ部の強度をヒンジ部全体にわたって略均等にすることができるので、ヒンジ部に所定の強度を確保することができる。
【００１０】
また、前記折り畳み式携帯無線装置においては、前記接触部分となる前記筐体の結合部に補強部材が一体的に設けられていることが好ましい。
「補強部材」としては、例えば第１および第２の筐体が硬さの異なる材質からなる場合、硬い方の筐体の材質よりも柔らかく、柔らかい方の筐体の材質よりも硬い材質を用いることができる。例えば、一方の筐体がマグネシウムで成形され、他方の筐体が樹脂で成形されている際には、補強部材の材質としては、アルミニウム、ステンレス等を例示できる。
このような折り畳み式携帯無線装置においては、インサート成形等を用いて補強部材を結合部に一体的に設けることでき、ヒンジ部に所定の強度を確保することができる。
【００１１】
また、前記折り畳み式携帯無線装置においては、前記結合部が樹脂で形成され、前記補強部材が金属で形成されていることが好ましい。
このような折り畳み式携帯無線装置においては、筐体の成形作業の煩雑化を抑制しつつヒンジ部に所定の強度を確保することができる。
【００１２】
【発明の実施の形態】
以下、図面に基づいて本発明の実施形態を説明する。
本実施形態における折り畳み式携帯無線装置は、受話ユニットのレシーバ（スピーカ）や送話ユニットのマイクを備えた折り畳み式携帯電話装置１００として説明する。
図１に示すように、本実施形態の折り畳み式携帯電話装置１００は、金属（マグネシウム）で成形された上部筐体（第１の筐体）１０および樹脂で成形された下部筐体（第２の筐体）２０を有し、これら上部筐体１０と下部筐体２０とをヒンジ部３０により互いに回動可能に連結した構成としている。ヒンジ部３０は、上部筐体１０に備えられた第１の結合部３１と、下部筐体２０に備えられた第２の結合部３２と、連結ピン３３とからなっている。
この折り畳み式携帯電話装置１００の上部筐体１０を、ヒンジ部３０を中心に回動させることで、上部筐体１０が下部筐体２０に当接或いは略当接するまで折り畳むことができ、その結果図２に示すように折り畳められた状態にできる。
【００１３】
図２に示すように、折り畳み式携帯電話装置１００は、上部筐体１０の外側面に、着信音等を発するスピーカ１５、着信時に発信者の電話番号等を表示する液晶表示パネル等の副情報表示部１６、使用中に押圧することによって音声の録音を実行させるバックキー１７等を備えている。また、下部筐体２０の一方の側面（図２中手前側、図１（ａ）においては左側）には、アンテナ４０を収納するアンテナ収納部４２が下部筐体２０の長手方向に対して略平行に配設されている。このアンテナ４０は伸縮自在に下部筐体２０に設けられており、伸張時に図１に示すように上部筐体１０側方に引出され、収納時には、図２に示すように先端部４０ａを残してアンテナ収納部４２に収められる。また、アンテナ収納部４２の側部には、折り畳み式携帯電話装置１００を把持した際に指がアンテナ４０に接触することを防止する指置き凹部４２ａが設けられている。
図１（ａ）に示すように、上部筐体１０および下部筐体２０はそれぞれ幅方向寸法（図１（ａ）においては左右方向寸法）が、ヒンジ部３０側に向かって狭くなっている。こうすることで筐体の把持安定性およびデザイン性を高めているが、このような筐体の外観は後述するヒンジ部の構成により得ることが可能になった。
【００１４】
図１（ａ），（ｂ）に示すように、この折り畳み式携帯電話装置１００の上部筐体１０には、通話時に音声等の音を発するレシーバ１２を有する受話ユニットや液晶表示パネル等の主情報表示部１４等が備えられ、上部筐体１０の下部筐体２０と隣接する部分には複数の円筒部３１ａ，３１ｂを有する第１の結合部３１が設けられている。また、下部筐体２０には、通話時に音声等の音を検出するマイク２２を有する送話ユニット、キー操作部２４、バッテリー２６等が備えられ、下部筐体２０の上部筐体１０と隣接する部分には複数の円筒部３２ａ，３２ｂ，３２ｃを有する第２の結合部３２が設けられている。後述するが、第２の結合部３２の円筒部３２ａ，３２ｃの円筒内周面には補強部材３４（図３参照）が一体的に設けられている。下部筐体２０のキー操作部２４には、折り畳み式携帯電話装置１００の電源オン／オフ用のスイッチ、英数字・文字入力用のキー、各種の機能を選択実行するためのファンクションキー等が含まれる。
【００１５】
さらに下部筐体２０の内部には、各種信号の処理を行なうＣＰＵや各種情報を記憶するメモリ等の電子部品が実装されている無線回路を含む主回路基板（図示略）が収納されている。これは、下部筐体２０と一体に成形された支持体により下部筐体２０の内部に固定されている。
また、上部筐体１０の内部には、主情報表示部１４のドライバ回路を含む副回路基板（図示略）が収納され、同じく支持体により上部筐体１０内に固定されている。上記の主回路基板と副回路基板とは、フレキシブル回路（図示略）を介して接続されており、互いの回路基板間において各種電気信号の送受がなされている。なお、フレキシブル基板は、ヒンジ部３０の内部を通して回路基板を連結している。
【００１６】
次に、上記構成の折り畳み式携帯電話装置１００における、上部筐体１０の第１の結合部３１と下部筐体２０の第２の結合部３２との連結構造を詳細に説明する。
第１の結合部３１の円筒部３１ａ，３１ｂと第２の結合部の円筒部３２ａ，３２ｂ，３２ｃとはそれぞれ交互に配置されている。すなわち、図１（ａ）に示すようにヒンジ部３０の略中央に第２の結合部３２の円筒部３２ｂが配置され、その両側に第１の結合部３１の円筒部３１ａ，３１ｂが配置されている。さらに、ヒンジ部３０の両端部を構成する第２の結合部３２の円筒部３２ａ，３２ｃが、それぞれ第１の結合部３１の円筒部３１ａ，３１ｂに隣接して配置されている。
このように配置された結合部３１，３２に、その両端部から連結ピン３３を挿入することで、第１の結合部３１と第２の結合部３２とが連結される。
【００１７】
図３は、折り畳み式携帯電話装置１００の上部筐体１０の第１の結合部３１、下部筐体２０の第２の結合部３２、それらを連結する連結ピン３３の構成を説明するための分解斜視図である。
図３（ａ）に示すように、ヒンジ部３０の両端部を構成する円筒部３２ａ，３２ｃの内周面にはステンレスで形成された円筒状の補強部材３４がインサート成形等により円筒部３２ａ，３２ｃと一体に成形されている。補強部材３４の内周面３０ａには、後述する連結ピン３３の外周面に形成された凸部３３ｄと嵌合する凹部３６ａ（図３（ｂ）参照）が設けられている。また、円筒部３２ａ，３２ｃと隣接する円筒部３１ａ，３１ｂの内周面３０ｂにも、後述する連結ピン３３の外周面に形成された凸部３３ｅと嵌合する凹部３６ｂが設けられている。
図示しないが、円筒部３１ａと円筒部３１ｂとの間のヒンジ部３０の略中央部を構成する円筒部３１ｂの一部と円筒部３２ｂとにより構成される内側空間には、前述の主回路基板と副回路基板とを接続するフレキシブル基板が収納される。
【００１８】
連結ピン３３は、円柱状の外側部３３ａと、円柱状の内側部３３ｂと、連結ピン３３の端部に内側部３３ｂと一体に形成された係止爪３３ｃとを有している。外側部３３ａと内側部３３ｂとは互いに回動可能に接続され、内側部３３ｂは回動する角度が増大するにつれて、外側部３３ａ内の図示しない制御機構により抵抗力が増大し、所定の角度回動すると抵抗力がなくなるように構成されている。また、外側部３３ａおよび内側部３３ｂの外周面には、凸部３３ｄ，３３ｅが形成されている。また、連結ピン３３は適度の硬さを有した樹脂で形成されている。
【００１９】
連結ピン３３がヒンジ部３０内に挿入されると、連結ピン３３の外側部３３ａは第２の結合部３２の円筒部３２ａ，３２ｃ内に収納され、連結ピン３３の内側部３３ｂは第１の結合部３１の円筒部３１ａ，３１ｂ内に収納される。このとき、連結ピン３３の外周面に形成された凸部３３ｄ，３３ｅがそれぞれ内周面３０ａ，３０ｂに形成された凹部３６ａ，３６ｂと嵌合する。こうすることで、連結ピン３３の外側部３３ａと内側部３３ｂとは、それぞれ内周面３０ａ，３０ｂに対して相対移動が阻止される。さらに、連結ピン３３がヒンジ部３０内の所定位置まで挿入されると、係止爪３３ｃが第１の結合部３１の円筒部３１ａ，３１ｂの端壁と係合し、第１の結合部３１と第２の結合部３２とが、連結ピン３３によって連結される。
【００２０】
以上のような構成の折り畳み式携帯電話装置１００において、上部筐体１０と下部筐体２０とをヒンジ部３０を中心に回動して展開したり折り畳んだりすることで、ヒンジ部３０内の連結ピン３３の外側部３３ａと内側部３３ｂが相対的に回動する。さらに、連結ピン３３の外側部３３ａと内側部３３ｂとが回動する際に発生する抵抗力によって、折り畳み式携帯電話装置１００の展開状態と折り畳み状態とを制御している。例えば、折り畳み式携帯電話装置１００の折り畳み状態から上下筐体１０，２０を展開する際には、連結ピン３３内で発生する抵抗力の増加に抗して、外側部３３ａと内側部３３ｂとを回動させることで、上下筐体を展開している。
【００２１】
本実施形態のように樹脂で構成された円筒部３２ａ，３２ｃの内周面に金属の補強部材３４を配置することで、樹脂で形成された第２の結合部３２の円筒部３２ａ，３２ｃの内周面は、変形や摩耗に対しての強度が向上されている。また、上部筐体１０と下部筐体２０とがヒンジ部３０を中心に回動して、展開または折り畳まれる際に、連結ピン３３の外側部３３ａが第２結合部３２の円筒部３２ａ，３２ｃ内で相対的に移動し、円筒部３２ａ，３２ｃの凹部３４ａの端壁が擦れて摩耗してしまうことがない。
したがって、上部筐体１０と下部筐体２０とをヒンジ部３０を中心に頻繁に回動して展開したり折り畳んだりしても、上下筐体１０，２０が安定して連結されている。
【００２２】
なお、本発明は前述した実施形態に限定されるものではなく、適宜な変形、改良等が可能である。
本実施形態において、補強部材３４は、第２の結合部３２の円筒部３２ａ，３２ｃに配置されていたが、第１の結合部３１の円筒部３１ａ，３１ｂの強度を向上したい場合には、第１の結合部３１の円筒部３１ａ，３１ｂ内に配置してもよい。
また、本実施形態において、上下筐体１０，２０は、異なった材質で構成されていたが同じ材質で構成されていてもよい。その際には、補強部材３４は、第１の結合部３１と第２の結合部３２との両方に配置されてもよい。
【００２３】
【発明の効果】
以上説明したように、本発明の折り畳み式携帯無線装置によれば、ヒンジ部に所定の強度を確保することができる。
【図面の簡単な説明】
【図１】本発明の折り畳み式携帯電話装置の全体外観図で（ａ）は正面図、（ｂ）は側面図である。
【図２】本発明の折り畳み式携帯電話装置の折り畳んだ状態を示す外観斜視図である。
【図３】本発明の折り畳み式携帯電話装置の上下筐体と連結ピンを示す分解斜視図で（ａ）は全体図、（ｂ）は部分拡大図ある。
【符号の説明】
１０  上部筐体（第１の筐体）
１２  レシーバ（スピーカ）
１４  情報表示部
２０  下部筐体（第２の筐体）
２２  マイク
２４  キー操作部
２６  バッテリー
３０  ヒンジ部
３０ａ，３０ｂ  内周面
３１  第１の結合部
３１ａ，３１ｂ  円筒部
３２  第２の結合部
３２ａ，３２ｂ，３２ｃ  円筒部
３３  連結ピン
３４  補強部材
４０  アンテナ
１００  折り畳み式携帯電話装置
【図１】
0004637332.tif 000002
【図２】
0004637332.tif 000003
【図３】
0004637332.tif 000004